(57)【特許請求の範囲】
【請求項１】
上面に複数の化粧品保持用凹部が形成された保持ガイドと、複数の化粧品と、化粧品説明用のリーフレットとを備え、販売の都度、上記複数の化粧品のうち適宜のものを選択して上記保持ガイドの化粧品保持用凹部内にそれぞれ嵌入保持させ、保持ガイド上面にリーフレットを載せた状態で、上記保持ガイドの少なくとも上面を被覆して全体を一体化して販売に供される化粧品セットであって、上記保持ガイドの上面に、リーフレット載置用の浅皿部が、上記複数の化粧品保持用凹部のうちの特定の凹部の開口とつながるよう形成されており、販売時に選択される化粧品によって、上記特定の凹部内に化粧品が保持されず空になる場合は、上記リーフレットを、浅皿部全体に広げて載置することにより、その空になった特定の凹部開口を隠し、上記特定の凹部内に化粧品が保持される場合は、上記リーフレットの、上記特定の凹部と重なる部分を折り畳んだ状態で浅皿部に載置することにより、上記特定の凹部開口内の化粧品を見せるようになっていることを特徴とする化粧品セット。
【請求項２】
上記保持ガイド上面が、保持ガイドから延設される蓋部を折り返して保持ガイドに被せることにより被覆されるようになっている請求項１記載の化粧品セット。
【発明の詳細な説明】
【０００１】
【発明の属する技術分野】
本発明は、複数の化粧品が、化粧品説明用のリーフレットとともに組み合わせられた化粧品セットに関するものである。
【０００２】
【従来の技術】
従来から、複数の関連ある化粧品等をセットとして販売する場合、セットする化粧品の種類が決まっている場合には、化粧品メーカーが、予め工場において、セット販売する化粧品を専用のケースに装填してパッケージ化した状態で、各化粧品販売店に提供して、販売に供するようにしている。また、顧客が店頭で、関連ある化粧品を複数選んで購入する場合は、選択された化粧品を、販売員がその都度適当な袋やケースに詰めて、一まとまりとして手渡すようにしている。
【０００３】
【発明が解決しようとする課題】
しかしながら、顧客が関連ある化粧品を組み合わせて購入する場合、上記のように、店頭で、その都度適当な袋やケースに詰めて手渡すと、専用ケースに化粧品同士を整然と装填する場合と異なり、雑然とした感じを与える。また、持ち帰り時に化粧品同士が衝突して、各化粧品の包装箱やプラスチック容器に傷がつく場合もある。したがって、このような手渡し方では、顧客によい印象を与えることができない。
【０００４】
そこで、組み合わせて販売する化粧品の種類が大体決まっているものに対し、それらの化粧品を収納しうる凹部が形成された専用ケースを用意しておき、店頭で、顧客が選択した化粧品を、その都度、上記専用ケースに装填してパッケージ化した状態で手渡すことが検討されている。しかし、顧客が選択する化粧品数にばらつきがあるため、選択点数が凹部の数に満たない場合は、空の凹部が残って見栄えが悪い。かといって、専用ケースの凹部を少なめに形成すると、入りきらない化粧品を、専用ケースとは別に顧客に手渡さなければならず、これも具合が悪い。
【０００５】
本発明は、このような事情に鑑みなされたもので、化粧品の点数の多い少ないに関わらず、見栄えよく化粧品を収納することのできる化粧品セットの提供をその目的とする。
【０００６】
【課題を解決するための手段】
上記の目的を達成するため、本発明は、上面に複数の化粧品保持用凹部が形成された保持ガイドと、複数の化粧品と、化粧品説明用のリーフレットとを備え、販売の都度、上記複数の化粧品のうち適宜のものを選択して上記保持ガイドの化粧品保持用凹部内にそれぞれ嵌入保持させ、保持ガイド上面にリーフレットを載せた状態で、上記保持ガイドの少なくとも上面を被覆して全体を一体化して販売に供される化粧品セットであって、上記保持ガイドの上面に、リーフレット載置用の浅皿部が、上記複数の化粧品保持用凹部のうちの特定の凹部の開口とつながるよう形成されており、販売時に選択される化粧品によって、上記特定の凹部内に化粧品が保持されず空になる場合は、上記リーフレットを、浅皿部全体に広げて載置することにより、その空になった特定の凹部開口を隠し、上記特定の凹部内に化粧品が保持される場合は、上記リーフレットの、上記特定の凹部と重なる部分を折り畳んだ状態で浅皿部に載置することにより、上記特定の凹部開口内の化粧品を見せるようになっている化粧品セットを第１の要旨とする。
【０００７】
また、上記化粧品セットのなかでも、特に、上記保持ガイド上面が、保持ガイドから延設される蓋部を折り返して保持ガイドに被せることにより被覆されるようになっているものを第２の要旨とする。
【０００８】
【発明の実施の形態】
つぎに、本発明の実施の形態について説明する。
【０００９】
図１は、本発明の化粧品セットの一実施の形態を示している。すなわち、この化粧品セットは、店頭で、化粧品販売員が顧客の要望を聞き、それに合ったメイクアップ化粧品を、その都度組み合わせてパッケージ化するようになっているもので、組み合わせられる化粧品は、「テスティモ（Ｔ′ＥＳＴＩＭＯ）」と名付けられた一連のメイクアップ化粧品から選ばれるようになっている。
【００１０】
より詳しく説明すると、上記化粧品セットの販売に際しては、上記一連のメイクアップ化粧品の口紅やアイカラーを適宜組み合わせて特定の印象の顔（この例では、リーフレット１３に示す３通りの顔、図４参照）をつくったモデルの顔が印刷されたポスターやパンフレットを予め店頭に用意しておき、これを顧客に見せて、好ましい印象の顔（自分でつくりたい顔）を選ばせる。そして、その顔のメイクアップに用いられた化粧品の組み合わせを、そのままセットとして、図１に示すようにパッケージングして顧客に販売するようになっている。
【００１１】
つぎに、この化粧品セットの構成を説明する。まず、この化粧品セットには、図２およびそのＡ−Ａ′断面図である図３に示すように、広告表示部１と、化粧品を収納するためのガイド部２と、上記ガイド部２から延設され折り返すことにより上記ガイド部２の上面を蓋する蓋部３とが一体的に形成された透明プラスチック製のケース４が用いられている。
【００１２】
上記ケース４の広告表示部１は、図２に示すように、その中央部に、「まつゆきメイクセット」の見出し４０が上下２段に印刷表示されている。なお、上記「まつゆき」とは、この一連のメイクアップ化粧品によって３通りの印象の顔をつくったモデルの名前である。そして、上記見出し４０の向かって左側には、円形枠４１が設けられており、その部分に、この化粧品セットで組み合わせられたメイクアップ化粧品を用いてメイクしたモデルの顔が印刷された円形シール４２が貼着されている。また、向かって右側には、長方形枠４３が設けられており、その部分に、この化粧品セットで組み合わせられたメイクアップ化粧品の商品名と品番，色番号，合計金額が印刷された長方形シール４４が貼着されている。これらのシール４２，４４は、セット内容に応じた複数種類のものが用意されており、店頭で、化粧品セットをパッケージ化する際に、その内容に合ったものを選択して貼着するようになっている。なお、１ａは、この化粧品セットを予めいくつかつくって店頭に陳列して宣伝する際、これをフックに掛けて陳列できるよう設けられた穴である。
【００１３】
そして、上記ケース４のガイド部２は、上記広告表示部１よりも高く盛り上がり形成されており、その上面に、直方体状の口紅化粧品５を横に倒した姿勢で保持する凹部６と、２個のアイカラー化粧品（ともに薄型パレット入り）７、８を左右に並べて保持する凹部９，１０と、直方体状のマスカラ化粧品１１を横に倒した姿勢で保持する凹部１２が形成されている。
【００１４】
また、上記ガイド部２の、上記マスカラ化粧品１１保持用の凹部１２が形成された部分を含む所定領域に、化粧品説明用のリーフレット１３を載置する浅皿部１４が形成されている。
【００１５】
上記リーフレット１３は、１枚の紙製シートを、図６に示すように、６分の１のサイズに折り畳んだもので、上記浅皿部１４の約半分の面積の部分内に収まるようになっている。
【００１６】
上記リーフレット１３の表面１３ａは、図４に示すように、破線１４で上下６段に分割されており、２段一組で、前述の、印象の異なる３つの顔をつくるメイクについての説明がなされている。すなわち、この表面１３ａの上２段は、「やわらかなメイク」についての説明になっており、中２段が、「きりりやさしいメイク」についての説明になっている。また、下２段が、「シャープなメイク」についての説明になっている。
【００１７】
より詳しく説明すると、上２段の部分のうち、破線１４から上の段２０には、左端に、「やわらかなメイク」を施したモデルの顔写真１５が表示されており、その右側に、「やわらかなメイク」の見出し１６がある。そして、その下に、「印象度」の文字が四角枠で囲われており、このメイクの印象度が、「やさしいイメージ」という基準では５つ星、「りんとした」という基準では１つ星であることが示されている。また、右側には、円形枠１７とともに、「イノセンス」の文字が表示されており、その下に、「こだわりの質感で淡くやさしくナチュラルに」のキャッチフレーズ１８が、太書きで示されている。
【００１８】
また、その下の段２１には、その左側に、この「やわらかなメイク」で用いられている口紅化粧品の写真１９が表示されており、その下に、その品名と色番号２２が付記されている。そして、右側には、「ふんわりやわらかな印象のピンクのリップ」という口紅の説明文２３が示されている。なお、その下の余白に、この「やわらかなメイク」で用いられている２個のアイカラー化粧品の品名と色番号２４が示されている。
【００１９】
以下、その下の２段、さらにその下の２段も、同様の構成で、「きりりやさしいメイク」についての説明と、「シャープなメイク」についての説明がそれぞれなされている。
【００２０】
また、上記リーフレット１３の裏面１３ｂは、図５に示すように、最上部に、「メイクバリエーション＆テクニック」の見出し２５が太書きされており、その下に、上から順に、「イノセンス」（やわらかなメイク）の印象をつくるためのメイクアップの応用例、「ニート」（きりりとやさしいメイク）の印象をつくるためのメイクアップの応用例、「ドラスティック」（シャープなメイク）の印象をつくるためのメイクアップの応用例が、説明されている。また、下方の余白部２６には、口紅の塗り方と、マスカラの塗り方についてのアドバイスが表示されている。
【００２１】
したがって、上記リーフレット１３を、図６に示すように６分の１に折り畳んで、浅皿部１４に載置した状態では、その表面１３ａの最上段２０の、「やわらかなメイク」についての説明が表となり、この化粧品セットが、「やわらかなメイク」をつくるためのセットであることが、前記広告表示部１のシール４２，４４の内容と相俟って、一目でわかるようになっている。
【００２２】
一方、ケース４の蓋部３（図１〜図３参照）は、上記ガイド部２に、上から被せて嵌合一体化するよう、凹状に形成されており、その周側面内側に、ガイド部２の周側面に形成された凹部（図示せず）と係合しうる突出部（図示せず）が形成されている。なお、蓋部３の先端には、これを開くときに手をかけるための突片３ａが形成されている。
【００２３】
したがって、店頭で、化粧品販売員が、３種類の印象の顔にメイクしたモデルの顔を、ポスターやパンフレットで顧客に見せ、顧客が、「好ましい」、「私もこのようなメイクをしたい」というもの、あるいは顧客側で判断しかねる場合には、販売員が、「あなたには、このメイクがお似合いですよ」と推奨するものを決定し、その顔のメイクアップに用いられた化粧品と同一の口紅化粧品５、２個のアイカラー化粧品７，８、マスカラ化粧品１１を、そのままセットとして、ケース４の各凹部６，…に収納する。そして、浅皿部１４内に、リーフレット１３を、その選択された顔のメイクを説明する部分が表になるように６分の１に折り畳んで載置したのち、蓋部３を閉じる。そして、広告表示部１に、このセット内容と一致する内容のシール４２，４４を貼着し、図１に示す化粧品セットとして、顧客にこれを販売することができる。
【００２４】
なお、メイクアップにおいて、口紅やアイカラーを用いることは一般的であるが、マスカラについては、これを使用しない者も多く、メイクアップ化粧品のセットのうち、マスカラ化粧品１１については要らない、という顧客もある。そこで、その場合には、上記の例において、６分の１に折り畳んで用いたリーフレット１３を、図７に示すように、３分の１に折り畳むことにより、上記の例の２倍の面積とし、図８，図９（図８のＢ−Ｂ′断面図）に示すように、マスカラ化粧品１１を保持しない、空の凹部１２の開口を塞ぐようにして、浅皿部１４内に載置する。これにより、空の凹部１２が隠され、しかもリーフレット１３の説明が、ちょうど６分割されたうちの２段分となり、見た目に違和感がなく見栄えがよい。
【００２５】
このように、上記化粧品セットによれば、マスカラ化粧品１１の有無によって組み合わせる数が変わる化粧品セットであるにもかかわらず、単一の専用ケースを用いることができ、しかもマスカラ化粧品１１がない場合にも、空いた凹部１２が剥き出しになることがなく、見栄えがよい。
【００２６】
また、上記化粧品セットでは、ケース４として、広告表示部１と、ガイド部２と、蓋部３とが、一体的に形成されたものを用いているため、ケース４を、化粧品とは別にまとめて保管する場合に、これを一枚に開いて多数枚重ねることにより、型崩れすることがなく、しかもコンパクトに保管することができる。そして、ケース４の製造コストも安価である。
【００２７】
なお、上記の例では、リーフレット１３を、６分の１に折り畳むか、３分の１に折り畳んで、３通りの組み合わせのバリエーションに対応しつつ、一つの空き凹部１２を隠すことができるようにしたが、リーフレット１３の折り畳み方や、何個分の凹部を隠すようにするかは、浅皿部１４内に配置させる凹部の数やその形状によって、適宜に設定することができる。
【００２８】
また、上記の例は、本発明を、メイクアップ化粧品のセットに利用したものであるが、本発明は、上記の例に限らず、例えば基礎化粧品のセットや、美白化粧品のセット等、各種の化粧品セットに適用することができる。
【００２９】
【発明の効果】
以上のように、本発明の化粧品セットによれば、複数の化粧品保持用凹部のうち、特定の凹部に対し、折り方を変えて面積を変えることができるようにしたリーフレットで隠すことができるようになっている。したがって、セットとして組み合わせる化粧品の点数の多い少ないに関わらず、すなわち点数が少なくて凹部に空きが生じても、これを違和感なく隠すことができ、見栄えよく化粧品を収納することができる。
【図面の簡単な説明】
【図１】本発明の一実施例の斜視図である。
【図２】上記実施例の平面図である。
【図３】図２のＡ−Ａ′断面図である。
【図４】上記実施例に用いるリーフレット表面の構成を示す説明図である。
【図５】上記実施例に用いるリーフレット裏面の構成を示す説明図である。
【図６】上記リーフレットを折り畳んだ状態の説明図である。
【図７】上記リーフレットを折り畳んだ他の状態の説明図である。
【図８】上記実施例の他の使用態様の説明図である。
【図９】図８のＢ−Ｂ′断面図である。
【符号の説明】
２  ガイド部
３  蓋部
４  ケース
５  口紅化粧品
６，９，１０，１２  凹部
７，８  アイカラー化粧品
１１  マスカラ化粧品
１３  リーフレット
１４  浅皿部
【図１】
0003614720.tif 000002
【図２】
0003614720.tif 000003
【図３】
0003614720.tif 000004
【図４】
0003614720.tif 000005
【図５】
0003614720.tif 000006
【図６】
0003614720.tif 000007
【図７】
0003614720.tif 000008
【図８】
0003614720.tif 000009
【図９】
0003614720.tif 000010